(57)【要約】【課題】操作部と作業者との間に電荷を溜めないようにして、帯電による感電や放電を抑えて安全な作業を行うことができる内視鏡装置の操作部ハウジングを提供すること。【解決手段】樹脂製の複数のハウジング構成部品が接合されてなり、基板及び基板を支持するフレームを内部に収納する内視鏡装置１の操作部ハウジング８において、各ハウジング構成部品の外表面に、グランドと電気的に接続されるニッケルメッキ（導電体）が配されている。【選択図】図１
2007143821.tif 000002
【特許請求の範囲】
【請求項１】
樹脂製のハウジング構成部品が複数接合されてなり、基板及び該基板を支持するフレームを内部に収納する内視鏡装置の操作部ハウジングにおいて、
少なくとも一つの前記ハウジング構成部品の外表面に、グランドと電気的に接続される導電体が配されていることを特徴とする内視鏡装置の操作部ハウジング。
【請求項２】
前記導電体が、導電性フィラー、導電性金属、導電性塗料、導電性メッキ又は何れか二つ以上の組み合わせからなることを特徴とする請求項１に記載の内視鏡装置の操作部ハウジング。
【請求項３】
操作時に作業者が把持する把持部が配され、
前記導電体が、前記把持部に設けられていることを特徴とする請求項１に記載の内視鏡装置の操作部ハウジング。
【請求項４】
前記導電体が、前記フレームを介してグランドに接続されていることを特徴とする請求項１から３の何れか一つに記載の内視鏡装置の操作部ハウジング。
【請求項５】
請求項１から４の何れか一つに記載の内視鏡装置の操作部ハウジングを有する操作部を備えていることを特徴とする内視鏡装置。
【発明の詳細な説明】
【技術分野】
【０００１】
本発明は、内視鏡装置の操作部ハウジング及び内視鏡装置に関する。
【背景技術】
【０００２】
携帯型の内視鏡装置のような撮像装置の場合、軽量化のために、操作部ハウジングの構成部材は樹脂製となっている。一方、ハウジング内に配された電子部品を保護するために、外部からの電磁波ノイズを遮断する導体が操作部ハウジングの内側に配されている（例えば、特許文献１参照。）。また、操作部のみならずケーブルにおいても電磁波ノイズを遮蔽するために、導電膜が形成されたものや（例えば、特許文献２参照。）、ケーブルとの接続部分となるコネクタにて電磁波ノイズを遮蔽するもの（例えば、特許文献３参照。）が知られている。
【特許文献１】特開２００２−３０１０２２号公報
【特許文献２】特開２０００−２７１１２２号公報
【特許文献３】特開２００４−２６７４８８号公報
【発明の開示】
【発明が解決しようとする課題】
【０００３】
しかしながら、上記従来の内視鏡装置の操作部ハウジングは、樹脂製のハウジング構成部材の内部に導体が配されているので、操作部を操作する作業者と操作部ハウジングとの間が絶縁されてしまい、静電気が帯電しやすい。従って、作業者が導体に触れた場合には、溜まった電荷によって電気的なショックを受けてしまう場合がある。また、この際、スパークが発生することもあり、このままでは防爆規定を満たすことができない。
【０００４】
本発明は上記事情に鑑みて成されたものであり、操作部と作業者との間に電荷を溜めないようにして、帯電による感電や放電を抑えて安全な作業を行うことができる内視鏡装置の操作部ハウジングを提供することを目的とする。
【課題を解決するための手段】
【０００５】
本発明は、上記課題を解決するため、以下の手段を採用する。
本発明に係る内視鏡装置の操作部ハウジングは、樹脂製のハウジング構成部品が複数接合されてなり、基板及び該基板を支持するフレームを内部に収納する内視鏡装置の操作部ハウジングにおいて、少なくとも一つの前記ハウジング構成部品の外表面に、グランドと電気的に接続される導電体が配されていることを特徴とする。
また、本発明に係る内視鏡装置は、本発明に係る内視鏡装置の操作部ハウジングを有する操作部を備えていることを特徴とする。
【０００６】
この発明は、作業時に作業者が操作部ハウジングを触ることによって、外表面に配された導電体を介して作業者と操作部との間を導通させることができ、両者の間で電荷が溜まらないようにすることができる。
【０００７】
また、本発明に係る内視鏡装置の操作部ハウジングは、前記内視鏡装置の操作部ハウジングであって、前記導電体が、導電性フィラー、導電性金属、導電性塗料、導電性メッキ又は何れか二つ以上の組み合わせからなることを特徴とする。
この発明は、ハウジング構成部品が樹脂製であっても外表面に容易に導電体を配することができる。
【０００８】
また、本発明に係る内視鏡装置の操作部ハウジングは、前記内視鏡装置の操作部ハウジングであって、操作時に作業者が把持する把持部が配され、前記導電体が、前記把持部に設けられていることを特徴とする。
この発明は、作業者が把持部を把持するだけで作業者とグランドとを電気的に接続して導通させることができる。
【０００９】
また、本発明に係る内視鏡装置の操作部ハウジングは、前記内視鏡装置の操作部ハウジングであって、前記導電体が、前記フレームを介してグランドに接続されていることを特徴とする。
この発明は、導電体とグランドとを直接接続させなくても、導電体とグランドとを電気的に接続させることができる。
【発明の効果】
【００１０】
本発明によれば、操作部と作業者との間に電荷を溜めないようにして、帯電による感電や放電を抑えて安全な作業を行うことができる。
【発明を実施するための最良の形態】
【００１１】
本発明に係る第１の実施形態について、図１から図４を参照して説明する。
本実施形態に係る内視鏡装置１は、図１から図３に示すように、図示しない観察対象に挿入される挿入部２と、挿入部２の基端に接続された操作部３と、表示部５が配されて携帯可能な装置本体６と、装置本体６と操作部３とを接続するケーブル７とを備えている。
【００１２】
挿入部２は、細長で可撓性を有しており、先端に図示しない観察光学系が配されている。
操作部３は、樹脂製のハウジング構成部品８Ａ，８Ｂ，８Ｃが接合されてなる操作部ハウジング（内視鏡装置の操作部ハウジング）８を備えている。この操作部ハウジング８には、挿入部２を湾曲操作するジョイスティック１０、倍率を調整するズームボタン１１、明るさを調整するブライトネスボタン１２、白黒／カラー調整用のＢＯＯＳＴボタン１３、表示画像を静止させたり記録を行う際の静止・記録ボタン１５とともに、作業者が操作時に把持するガングリップ状の把持部１６が配されている。
【００１３】
ハウジング構成部品８Ａ，８Ｂは、図２及び図３に示すように、それぞれ半割状に形成されており、表面には、図示しない組立用のビスが挿通可能なビス孔１７が複数配されている。ハウジング構成部品８Ａ，８Ｂは、図示しない基板及び基板を支持するフレーム１８を間に挟んで内部に収納するように係合した状態で、複数のビスを介して互いに固定され、又は一部はフレーム１８に設けられた雌ネジ部２０に固定されている。
ハウジング構成部品８Ｃは、各種操作ボタンが配された部分を構成しており、複数のビスによってハウジング構成部品８Ａ，８Ｂと接続されている。
【００１４】
これらハウジング構成部品８Ａ，８Ｂ，８Ｃは、例えば、ＡＢＳ樹脂製で、その外表面にニッケルメッキ（導電体）が施されている。ニッケルメッキは、無電解メッキとして配されており、ハウジング構成部品８Ａ，８Ｂ，８Ｃに設けられたビス孔１７の表面にも施されている。そのため、ビスを締め付けることによって、ハウジング構成部品８Ａ，８Ｂ，８Ｃ同士又はハウジング構成部品８Ａ，８Ｂ，８Ｃとフレーム１８とが電気的に接続される。
【００１５】
フレーム１８は、図４に示すように、第一フレーム１８と第二フレーム１８とを備え、これらが組み合わされて箱状になるように構成されている。
フレーム１８には、図示しないグランドラインが接続されたグランド用接点２０Ａが配されており、ケーブル７内のグランドラインを介して装置本体６に設けられたグランドと接続されている。このグランド用接点２０Ａは雌ネジ部２０の一つとされている。即ち、操作部ハウジング８が組立てられることによって、ハウジング構成部品８Ａ，８Ｂ，８Ｃの外表面に施されたニッケルメッキと装置本体６のグランドとが電気的に接続される。
【００１６】
把持部１６は、ハウジング構成部品８Ａ，８Ｂ，８Ｃによって構成されており、外表面には、作業者が把持しやすいようにエラストマー２１が配されている。
【００１７】
この操作部ハウジング８及び内視鏡装置１によれば、作業時に作業者が操作部ハウジング８を触ることによって、外表面に配されたニッケルメッキを介して作業者と操作部３との間を導通させることができ、電荷をグランドに流すことができ、両者の間で電荷が溜まらないようにすることができる。従って、操作部３と作業者との間に電荷を溜めないようにして、帯電による感電や放電を抑えて安全な作業を行うことができる。
【００１８】
次に、第２の実施形態について説明する。
なお、上述した第１の実施形態と同様の構成要素には同一符号を付すとともに説明を省略する。
第２の実施形態と第１の実施形態との異なる点は、本実施形態に係る内視鏡装置の操作部ハウジングにおける把持部のエラストマーが、導電性エラストマーであるとした点である。  
【００１９】
この導電性エラストマーは、ハウジング構成部品８Ａ，８Ｂ，８Ｃの外表面に配されたニッケルメッキと接触しており、装置本体６のグランドと電気的に接続されている。
この操作部ハウジング及び内視鏡装置によれば、作業者が把持部のみを把持する場合でも作業者と装置本体６のグランドとを電気的に接続して導通させることができる。
【００２０】
次に、第３の実施形態について説明する。
なお、上述した第１の実施形態と同様の構成要素には同一符号を付すとともに説明を省略する。
第３の実施形態と第１の実施形態との異なる点は、本実施形態に係る内視鏡装置の操作部ハウジングにおけるハウジング構成部品の外表面に、ニッケルメッキの代わりに導電塗装処理がなされているとした点である。
【００２１】
導電性塗料としては、黒鉛、ニッケル、銀、銅等の導電性粒子が添加された塗料が配されている。
この操作部ハウジング及び内視鏡装置によれば、第１の実施形態と同様の作用・効果を奏することができる。
【００２２】
次に、第４の実施形態について説明する。
なお、上述した第１の実施形態と同様の構成要素には同一符号を付すとともに説明を省略する。
第４の実施形態と第１の実施形態との異なる点は、本実施形態に係る内視鏡装置の操作部ハウジングにおける各ハウジング構成部品が、導電フィラーが混合された導電性樹脂からなるものとした点である。
【００２３】
導電性フィラーとしては、例えば、カーボンファイバチップが使用されている。そのため、各ハウジング構成部品の外表面のみならず、ハウジング構成部品全体が導電性を有している。従って、第１の実施形態と同様に、ビスを介してハウジング構成部品とグランドとが電気的に接続される。
この操作部ハウジング及び内視鏡装置によれば、第１の実施形態と同様の効果を奏することができる。
【００２４】
次に、第５の実施形態について図５を参照しながら説明する。
なお、上述した第１の実施形態と同様の構成要素には同一符号を付すとともに説明を省略する。
第５の実施形態と第１の実施形態との異なる点は、本実施形態に係る内視鏡装置３０の操作部ハウジング３１におけるハウジング構成部品３１Ａ，３１Ｂ，３１Ｃが、金属（導電体）３２と一体に成形され、かつ、外表面の一部に金属３２を露出させた点である。
【００２５】
この金属３２は、作業者が把持部１６を把持した際に金属にも接触するように、把持部１６のエラストマー２１近傍に配されている。そして、ハウジング構成部品８Ａ，８Ｂ，８Ｃを組立てて操作部ハウジング３１とした際、金属３２と図示しないフレームのグランド用接点とが接続されて、グランドと電気的に接続されるようになっている。
この操作部ハウジング３１及び内視鏡装置３０によれば、第１の実施形態と同様の効果を奏することができる。
【００２６】
なお、本発明の技術範囲は上記実施の形態に限定されるものではなく、本発明の趣旨を逸脱しない範囲において種々の変更を加えることが可能である。
例えば、操作部ハウジングのハウジング構成部品の外表面に導電体が配されていなくても、把持部に導電性エラストマーが配されていればよい。この際、作業者が把持部を把持することによってグランドと導通させることができる。
【００２７】
また、第３の実施形態から第５の実施形態において、操作部ハウジングのハウジング構成部品の外表面に導電体が配されるだけでなく、さらに把持部に導電性エラストマーが配されたものとしても構わない。この場合、第２の実施形態と同様に、作業者が導電体に接触する確率を向上させることができ、より帯電の機会を減らして電荷をグランドに逃がすことができる。
なお、把持部において、エラストマーが配される部位以外の部位に導電体が配されていても構わない。
【００２８】
また、ハウジング構成部品を構成する樹脂は、ＡＢＳ樹脂に限らず、例えば、メッキや塗装が可能な樹脂であればよく、ナイロンやＰＰ（ポリプロピレン）、ＰＭＭＡ（ポリメタクリル酸メチル）、ＰＵ（ポリウレタン）といったプラスチックや、ＰＣ（ポリカーボネート）、ＰＢＴ（ポリブチレンテレフタレート）、ＰＡ（ポリアミド）、ＰＰＯ（ポリフェニレンオキシド）（登録商標）、ＳＰＳ（シンジオタクチック・ポリスチレン）（登録商標）といったエンジニアリングプラスチック、ＰＥＳ（ポリブチレンサクシネートカーボネート）、ＰＰＳ（ポリフェニレンスルフィド）、ＰＥＩ（ポリエーテルイミド）、ＬＣＰ（ポリシクロへキシレン・ジメチレン・テレフタレート）といったスーパーエンジニアリングプラスチック、ＰＣ／ＡＢＳ、ＰＣ／ＡＳＡ（アクリレートスチレンアクリロニトリル）といった特殊エンジニアリングプラスチックであればよい。
【００２９】
この際、メッキ材料としては、ニッケルメッキに限らず他のニッケル系メッキ、クロム系メッキであれば構わない。
【図面の簡単な説明】
【００３０】
【図１】本発明の第１の実施形態に係る内視鏡装置及び操作部ハウジングを示す斜視図である。
【図２】本発明の第１の実施形態に係る内視鏡装置及び操作部ハウジングを示す分解組立図である。
【図３】本発明の第１の実施形態に係る操作部ハウジングのハウジング構成部品を示す分解組立図である。
【図４】本発明の第１の実施形態に係る操作部ハウジングに収納されるフレームを示す斜視図である。
【図５】本発明の第５の実施形態に係る操作部ハウジングを示す斜視図である。
【符号の説明】
【００３１】
１  内視鏡装置
２  挿入部
３  操作部
８  操作部ハウジング
８Ａ，８Ｂ，８Ｃ  ハウジング構成部品
１６  把持部
１８  フレーム
【図１】
2007143821.tif 000003
【図２】
2007143821.tif 000004
【図３】
2007143821.tif 000005
【図４】
2007143821.tif 000006
【図５】
2007143821.tif 000007